(57)【要約】【課題】パンチプレスにおけるダイホルダの上下方向のダイ装着穴に装着して使用するバリ除去装置を提供する。【解決手段】パンチプレスにおけるダイホルダに装着して使用するバリ除去装置であって、前記ダイホルダ３に備えた上下方向のダイ装着穴５に着脱自在な筒状のケーシング本体７を竪長に備え、このケーシング本体７の上部に備えたダイプレート１１の上面に対して出没自在かつワークＷの下面に生じたバリを下側から打圧自在なバリ打圧部材２９を上部に備えた上下ロッド２３を、前記ケーシング本体７内の上部側に上下動自在に備えると共に下方向へ付勢して備え、前記上下ロッド２３の下面に当接して前記上下ロッド２３を上方向へ押圧するためのピストン５１を、前記ケーシング本体７内の下部側に上下動自在に備えると共に、前記ピストン５１を上方向へ付勢して備え、前記ピストン５１を上方向へ移動するためのエアアクチュエータ４３を備えている。【選択図】図１
2016093824.tif 000002
【特許請求の範囲】
【請求項１】
パンチプレスにおけるダイホルダに装着して使用するバリ除去装置であって、前記ダイホルダに備えた上下方向のダイ装着穴に着脱自在な筒状のケーシング本体を竪長に備え、このケーシング本体の上部に備えたダイプレートの上面に対して出没自在かつワークの下面に生じたバリを下側から打圧自在なバリ打圧部材を上部に備えた上下ロッドを、前記ケーシング本体内の上部側に上下動自在に備えると共に下方向へ付勢して備え、前記上下ロッドの下面に当接して前記上下ロッドを上方向へ押圧するためのピストンを、前記ケーシング本体内の下部側に上下動自在に備えると共に、前記ピストンを上方向へ付勢して備え、前記ピストンを圧縮エアによって上方向へ移動するためのエアアクチュエータを備えていることを特徴とするバリ除去装置。
【請求項２】
請求項１に記載のバリ除去装置において、前記上下ロッドに対して前記バリ打圧部材を上下動自在に備えると共に前記バリ打圧部材を上方向へ付勢して備えていることを特徴とするバリ除去装置。
【請求項３】
請求項１又は２に記載のバリ除去装置において、前記エアアクチュエータは、上端面に開口したエア供給孔を備えた固定シャフトを前記ケーシング本体内の下部側に立設して備えると共に、当該固定シャフトの上端部と嵌合離脱自在の圧縮エア作用室を前記ピストンの下面に備え、前記圧縮エア作用室から前記固定シャフトが離脱した状態にあるときに、前記エア供給孔から供給された圧縮エアを前記上下ロッドの下面と前記ピストンの上面との間に供給するための圧縮エア供給路を前記ピストンに備え、前記上下ロッドの下部に備えたカップ状部材内に前記ピストンを上下動自在に、又は前記ピストンに備えたカップ状部材内に前記上下ロッドの下部を上下動自在に嵌合して備え、かつ前記カップ状部材に、内部の圧縮エアを排出するための排出口を備えている構成であることを特徴とするバリ除去装置。
【請求項４】
請求項１，２又は３に記載のバリ除去装置において、前記上下ロッドを前記ピストンによって上方向へ押圧するとき、前記エアアクチュエータに作用する圧縮エアによる押圧力と前記ピストンを上方向へ付勢した押圧付勢手段の押圧力とが作用する構成であることを特徴とするバリ除去装置。
【請求項５】
請求項１〜４のいずれかに記載のバリ除去装置において、前記ピストンの下方向へのストロークを制限するストッパを備えていることを特徴とするバリ除去装置。
【発明の詳細な説明】
【技術分野】
【０００１】
本発明は、例えばパンチプレスなどのごとき板材加工機によって打抜き加工、追抜き加工、切断加工などの加工を行ったときに、加工縁の下側に発生したバリを除去するためのバリ除去装置に係る。さらに詳細には、例えばタレットパンチプレスなどのごときパンチプレスにおける下部タレットなどのダイホルダに備えたダイ装着穴に装着して使用されるバリ除去装置に関する。
【背景技術】
【０００２】
例えばパンチプレスやシャーリングマシンなどの適宜の板材加工機によって板状のワークの切断加工を行うと、上記ワークの加工縁の下側にバリを生じるものである。上記バリを除去するには、板状のワークの上下を反転して、ワーク上面のバリ取りを行うバリ取り機にワークを供給する場合もある。この場合、例えばパンチプレス等の板材加工機の他にバリ取り機を別個に備える必要があるものである。
【０００３】
そこで、例えばタレットパンチプレスにおけるダイホルダとしての下部タレットにバリ除去装置を備えて、ワークのプレス加工時に生じたバリを、上記タレットパンチプレスによって除去する構成も提案されている（例えば、特許文献１，２参照）。
【先行技術文献】
【特許文献】
【０００４】
【特許文献１】特開２０１１−１１２３１号公報
【特許文献２】特開２０１２−９６２４１号公報
【発明の概要】
【発明が解決しようとする課題】
【０００５】
前記特許文献１，２に記載の構成においては、パンチプレスにおけるダイホルダとしての下部タレットにバリ除去装置を備えた構成であるから、板状のワークにパンチ加工を行った後、ワークの下面に生じたバリの除去を能率よく行うことができる。しかし、前記特許文献１，２の記載は、ダイホルダの上面にバリ除去装置を備える構成であって、ダイホルダに備えられているダイ装着穴に装着する構成ではないので、既存のパンチプレスに適用が難しいものであり、さらなる改良が望まれていた。
【課題を解決するための手段】
【０００６】
本発明は、前述のごとき問題に鑑みてなされたもので、パンチプレスにおけるダイホルダに装着して使用するバリ除去装置であって、前記ダイホルダに備えた上下方向のダイ装着穴に着脱自在な筒状のケーシング本体を竪長に備え、このケーシング本体の上部に備えたダイプレートの上面に対して出没自在かつワークの下面に生じたバリを下側から打圧自在なバリ打圧部材を上部に備えた上下ロッドを、前記ケーシング本体内の上部側に上下動自在に備えると共に下方向へ付勢して備え、前記上下ロッドの下面に当接して前記上下ロッドを上方向へ押圧するためのピストンを、前記ケーシング本体内の下部側に上下動自在に備えると共に、前記ピストンを上方向へ付勢して備え、前記ピストンを圧縮エアによって上方向へ移動するためのエアアクチュエータを備えていることを特徴とするものである。
【０００７】
また、前記バリ除去装置において、前記上下ロッドに対して前記バリ打圧部材を上下動自在に備えると共に前記バリ打圧部材を上方向へ付勢して備えていることを特徴とするものである。
【０００８】
また、前記バリ除去装置において、前記エアアクチュエータは、上端面に開口したエア供給孔を備えた固定シャフトを前記ケーシング本体内の下部側に立設して備えると共に、当該固定シャフトの上端部と嵌合離脱自在の圧縮エア作用室を前記ピストンの下面に備え、前記圧縮エア作用室から前記固定シャフトが離脱した状態にあるときに、前記エア供給孔から供給された圧縮エアを前記上下ロッドの下面と前記ピストンの上面との間に供給するための圧縮エア供給路を前記ピストンに備え、前記上下ロッドの下部に備えたカップ状部材内に前記ピストンを上下動自在に、又は前記ピストンに備えたカップ状部材内に前記上下ロッドの下部を上下動自在に嵌合して備え、かつ前記カップ状部材に、内部の圧縮エアを排出するための排出口を備えている構成であることを特徴とするものである。
【０００９】
また、前記バリ除去装置において、前記上下ロッドを前記ピストンによって上方向へ押圧するとき、前記エアアクチュエータに作用する圧縮エアによる押圧力と前記ピストンを上方向へ付勢した押圧付勢手段の押圧力とが作用する構成であることを特徴とするものである。
【００１０】
また、前記バリ除去装置において、前記ピストンの下方向へのストロークを制限するストッパを備えていることを特徴とするものである。
【発明の効果】
【００１１】
本発明によれば、既存のパンチプレスにおけるダイホルダのダイ装着穴に対してバリ除去装置を装着することができるものである。また、バリ打圧部材を下側からバリに衝突させる際の打圧力を、エア圧を調節することによって調節可能なものである。
【図面の簡単な説明】
【００１２】
【図１】本発明の実施形態に係るバリ除去装置の初期状態を示す断面説明図である。
【図２】上記バリ除去装置の動作状態を示す断面説明図である。
【発明を実施するための形態】
【００１３】
図１を参照するに、本発明の実施形態に係るバリ除去装置１は、例えばタレットパンチプレスなどのパンチプレス（図示省略）においてダイを支持する下部タレット等のごときダイホルダ３に備えた上下方向のダイ装着穴５に装着して使用されるものであって、前記ダイ装着穴５に対して着脱自在なケーシング本体７を備えている。上記ケーシング本体７は竪長の筒状に構成してあって、上部側の上部ケーシング７Ｕと下側の下部ケーシング７Ｌとを複数の組付けねじ９によって一体的に連結してある。
【００１４】
前記ケーシング本体７の上面には、リング状のダイプレート１１が複数の取付けねじ１３によって一体的に取付けてある。また、前記ケーシング本体７の上部にはキー１５を備えた筒状のホルダ１７が備えられている。すなわち、前記上部ケーシング７Ｕにおける上部の大径部７Ｄ及び前記ダイプレート１１は前記ホルダ１７内に収容されている。前記大径部７Ｄは、ホルダ１７の下部に備えた内方フランジ１７Ｆに支持されており、かつ大径部７Ｄの外周面に形成した上下方向のキー溝７Ｋに前記キー１５の内端部が係合してある。
【００１５】
さらに、前記ホルダ１７内に収容した前記ダイプレート１１の上面は、前記ホルダ１７の上面と同一高さ、又はホルダ１７の上面より僅かに低く形成してある。そして、前記ダイプレート１１の外周面とホルダ１７の内周面との間には、エアが漏れるのを防止するためのシール部材１９が介在してある。
【００１６】
前記ケーシング本体７の上部内周面には筒状のガイド部材２１が嵌入固定してあり、このガイド部材２１内には、上下ロッド２３が上下動自在に挿入してある。より詳細には、前記上下ロッド２３の上部には大径部２３Ａが備えられている。この大径部２３Ａは、前記ガイド部材２１から上方に突出して前記ダイプレート１１に形成した断面形状がＤ形状の内孔１１Ｈに上下動自在に嵌合してある。すなわち、前記大径部２３Ａは、前記内孔１１Ｈに対応した断面形状に形成してある。したがって、大径部２３Ａには外周面をＤカットしたことによって形成されたストッパ部２３Ｓが備えられている。
【００１７】
前記ストッパ部２３Ｓは、前記内孔１１Ｈに連通してダイプレート１１の下面に形成された大径の穴１１ＬＨ内に、僅かに上下動自在に位置している。すなわち、前記上下ロッド２３の大径部２３Ａは、常態においては前記ガイド部材２１の上面に支持されており、この常態においては、前記ストッパ部２３Ｓの上面と前記内孔１１Ｈにおける大径穴１１ＬＨの天井との間に、上下方向の僅かな間隙２５が形成されているものである。したがって、前記上下ロッド２３は、前記間隙２５の上下寸法に対応して上下動し得るものである。換言すれば、前記上下ロッド２３の上下ストロークは、前記間隙２５によって規制されているものである。
【００１８】
前記上下ロッド２３の上面には筒状のストッパ部材２７が備えられており、このストッパ部材２７内には、ワークＷの下面に生じたバリを下側から打圧自在なバリ打圧部材２９が上下動自在に内装されている。そして、上記バリ打圧部材２９は、内装したコイルスプリングなどのごとき弾性部材３１によって常に上方向に付勢されている。したがって、前記バリ打圧部材２９の上部は、常態においては弾性部材３１の作用によって前記ストッパ部材２７から僅かに上方向に突出した状態に保持されているものである。
【００１９】
前記上下ロッド２３の下部には、下方向に開口したカップ状（筒状）のカップ状部材３３がナットなどのごとき固定部材３５によって一体的に取付けてある。そして、前記ガイド部材２１の下面に当接自在なリング状のスプリング座３７と前記カップ状部材３３との間には、前記上下ロッド２３を下方向へ押圧付勢するコイルスプリングなどのごとき上部押圧付勢手段３９が備えられている。そして、前記カップ状部材３３内の上部には、前記固定部材３５を内包した保護部材４１が一体的に備えられている。
【００２０】
上記保護部材４１は前記上下動ロッド２３と一体的に上下動するものであるから、この保護部材４１の下面は、前記上下動ロッド２３の下面を構成することになるものである。したがって、前記上下動ロッド２３の下面と前記保護部材４１の下面は同義である。
【００２１】
前記バリ打圧部材２９をワークＷにおける下面のバリに打圧（激突）するために、前記ケーシング本体７内の下部側には、前記上下ロッド２３を上方向へ移動するエアアクチュエータ４３が備えられている。なお、エアアクチュエータ４３は、前記上下ロッド２３を上下に振動を付与するためのアクチュエータであって、一種の振動アクチュエータを構成するものである。
【００２２】
より詳細には、前記組付ねじ９によって前記下部ケーシング７Ｌの下面に一体的に取付けた円盤状の底部材４５の中央部には、固定シャフト４７が一体的に立設してある。この固定シャフト４７に上下動自在に支持された環状の上下スライダ４９には、前記カップ状部材３３内において、前記上下ロッド２３の下面、すなわち前記保護部材４１の下面に上面が当接自在なピストン５１が一体的に取付けてある。前記ピストン５１の下面には前記固定シャフト４７の上端部と嵌合離脱自在な圧縮エア作用室５３が形成してある。そして、前記ピストン５１の下面と前記上下スライダ４９の上面との間には、前記圧縮エア作用室５３と連通遮断自在な大径の連通室５５が形成してある。この連通室５５は複数の連通孔（連通路）５７を介して前記ピストン５１の上面に開口してある。
【００２３】
前記圧縮エア作用室５３へ圧縮エアを供給するために、前記固定シャフト４７の上面にはエア供給孔５９が開口してある。このエア供給口５９は、前記固定シャフト４７の軸心部に備えた連通孔４７Ｈ、前記底部材４５に備えた連通孔４５Ｈ、前記ケーシング本体７に備えた上下方向の連通孔７Ｈ及び前記ホルダ１７に備えた連通孔１７Ｈを介して、ダイホルダ３に備えた圧縮エア供給口（図示省略）に接続してある。
【００２４】
ところで、動作前の初期状態においては、図１に示すように、ピストン５１は、当該ピストン５１と前記底部材４５との間に弾装したコイルスプリングなどのごとき弾性部材から構成された下部押圧付勢手段６１によって常に上方向へ押圧付勢された状態にある。そして、前記保護部材４１の下面と前記ピストン５１の上面は当接した状態にある。初期状態における上記ピストン５１と前記保護部材４１の当接位置は、内部の圧縮エアを排出するために前記カップ状部材３３に形成した径方向の排出口６３よりも僅かに上側である。
【００２５】
また、前述のごとき初期状態においては、前記固定シャフト４７の上端部は前記ピストン５１の前記圧縮エア作用室５３から下側に離脱した状態にある。すなわち、前記圧縮エア作用室５３と前記連通室５５、連通孔５７は連通した状態にある。
【００２６】
ところで、前記上部押圧付勢手段３９が前記カップ状部材３３を下方向へ押圧付勢する押圧付勢力は、前記下部押圧付勢手段６１が前記ピストン５１を上方向へ付勢する押圧付勢力よりも大きく設定してある。しかし、初期状態においては、前記底部材４５上に備えた環状のストッパ６５の上面と前記上下スライダ４９の下面は離れた状態にある。上記ストッパ６５は、適宜の弾性部材から構成してあって、前記ピストン５１が大きく下降することを抑制し、前記ピストン５１のストローク量を必要量に制限する機能を有するものである。すなわち、始動前の初期状態においては、図１に示した状態にバランスしているものである。
【００２７】
前記構成において、前記固定シャフト４７のエア供給孔５９から圧縮エア作用室５３内へ圧縮エアを噴射供給すると、初期状態においては前記圧縮エア作用室５３と連通室５５は連通した状態にあり、かつ連通室５５と連通孔５７が連通した状態にあるので、前記エア供給孔５９から供給された圧縮エアは直ちにピストン５１の上面と保護部材４１の下面との間へ急激に供給されることになる。したがって、上下ロッド２３は上部押圧付勢手段３９の付勢力に抗して急激に上昇されることになる。
【００２８】
前述のごとく、上下ロッド２３が急速に上昇されると、上部に備えたバリ打圧部材２９が、ダイプレート１１上のワークＷの下面に備えたバリに衝突される。すなわち、バリ打圧部材２９によってバリを打圧し、バリを除去することになる。前記バリ打圧部材２９がバリに激突（打圧）する際には、弾性部材３１の作用によって大きな衝撃は僅かに緩和されるものである。なお、前記上下ロッド２３の上昇位置は、上下ロッド２３とダイプレート１１との間の間隙２５によって制限されるものである。換言すれば、上下ロッド２３の上下ストロークは、前記間隙２５によって規制（制限）されているものである。
【００２９】
前述のごとく、ピストン５１と保護部材４１との間へ圧縮エアを急激に噴射供給すると、前述したように、上下ロッド２３が急激に上昇されると同時に、前記ピストン５１は、下部押圧付勢手段６１の付勢力に抗して急速に下降されるものである。上述のように、ピストン５１が下降されると、固定シャフト４７の上端部はピストン５１の圧縮エア作用室５３に嵌入（挿入）される（図２参照）。そして、上記圧縮エア作用室５３には、固定シャフト４７のエア供給孔５９から圧縮エアが常時供給されることになる。
【００３０】
前述のごとくピストン５１が下降されると、ピストン５１と一体的な上下スライダ４９がストッパ６５に当接し、当該ストッパ６５を僅かに圧縮し、下降が制限されることになる。すなわち、ピストン５１の下方向へのストロークはストッパ６５によって小さく規制（制限）されるものである。
【００３１】
前述のごとく、ピストン５１と保護部材４１との間へ圧縮エアを噴射供給することによって上下ロッド２３が上昇されると、カップ部材３３も一体的に上昇される。また、前述のごとくピストン５１が下降されると、前記ピストン５１の上面と保護部材４１の下面との間に、図２に示すように、空間６７が生じることになる。そして、この空間６７の圧縮エアは、カップ状部材３３のカップ状（筒状）部分に備えた排出口６３から前記ケーシング本体７内に排出されるものである。
【００３２】
前記ケーシング本体７内へ排出された圧縮エアは、ケーシング本体７の内周面とカップ状部材３３の外周面との間の環状の間隙を通過する。そして、前記ガイド部材２１の外周面とケーシング本体７の内周面との間の環状の微小クリアランス（図示省略）を通過し、前記上下ロッド２３における上部の大径部２３Ａの外周面と前記ダイプレート１１における内孔１１Ｈの内周面との間の微小クリアランスから上方向へ噴射排出されるものである。したがって、バリ打圧部材２９により打圧されて除去されたバリの粉末が前記バリ打圧部材２９の周囲に蓄積することを抑制できるものである。
【００３３】
前述したように、ピストン５１が下降され、保護部材４１が上昇されて、前記空間６７内の圧縮エアが排出されると、前記上下ロッド２３、カップ状部材３３及び保護部材４１は、上部押圧付勢手段３９の付勢力によって急激（急速）に下降されることになる。また、ピストン５１は圧縮エア作用室５３に供給される圧縮エアの作用及び下部押圧付勢手段６１の付勢力によって急激（急速）に上昇される。そして、上記ピストン５１の上面は前記保護部材４１の下面に当接（衝突）することになる。
【００３４】
ところで、上部押圧付勢手段３９の下方向への付勢力は、下部押圧付勢手段６１の上方向への付勢力よりも大きく設定してある。よって、保護部材４１、カップ状部材３３等は、上部押圧付勢手段３９の付勢力に起因して急速に下降されることになる。他方、前記ピストン５１は、下部付勢手段６１の蓄勢力及び圧縮エア作用室５３内へ供給された圧縮エアの圧力によって上方向へ高速で復帰されることになる。
【００３５】
この際、前記圧縮エア作用室５３内へ供給される圧縮エアによって前記ピストン５１が上昇復帰される上昇速度の方が、前記保護部材４１等が下降復帰される下降速度よりも大きいので、前記保護部材４１等が前記初期位置に下降復帰する前に、前記ピストン５１は前記初期位置よりも上方に勢いよく上昇されるものである。すなわち、前記ピストン５１は、前記圧縮エア作用室５３内へ供給された圧縮エアの圧力及び前記下部付勢手段６１の蓄勢力によって上方向へ勢いよく押圧移動されるものである。
【００３６】
したがって、前記保護部材４１に対してピストン５１が衝突した際には、前記連通孔５７から微小空間６７内へ供給された圧縮エアの層が存在するものの、大きな衝撃が生じ、前記保護部材４１、バリ打圧部材２９が衝撃的に上方向へ押圧移動される。よって、前記保護部材４１は、前記ピストン５１との衝突による上方向への押圧力（上昇力）と、前記ピストン５１と保護部材４１との間の微小空間６７内へ供給された圧縮エアの圧力に起因する上方向への押圧力（上昇力）とが合算された上昇力（押圧力）となるものである。
【００３７】
そして、保護部材４１が上方向へ再び押圧移動されると、前記ピストン５１の上面と前記保護部材４１の下面との間に空間６７がより大きく生じ、この空間６７内に供給された圧縮エアは排出口６３から排出されるものである。すなわち保護部材４１の上昇力は、前記圧縮エア作用室５３に作用する圧縮エアの圧力に起因する上昇力及び下部押圧付勢手段６１の押圧付勢力の合力によって上方向へ押圧付勢されたピストン５１の当接（衝突）時の上昇力と、前記ピストン５１と保護部材４１との間の微小空間６７へ供給された圧縮エアの圧力に起因する上昇力とが合算された上昇力となるものである。
【００３８】
したがって、前記ピストン５１と保護部材４１との間へ供給された圧縮エアの圧力のみに起因する上下ロッド２３の上昇力に比較して大きな上昇力となるものである。よって、バリ打圧部材２９によってバリを打圧する際の衝激がより大きくなるものであって、バリの除去作用を効率よく行い得るものである。
【００３９】
なお、前述したように、バリ打圧部材２９が上昇してワークＷの下面のバリを打圧すると、弾性部材３１が圧縮され、上下ロッド２３の上昇が制限されることになる。すなわち、上下ロッド２３におけるストッパ部２３Ｓの上面がダイプレート１１における大径穴１１ＬＨの天井に当接することの無いように上昇位置が制限されるものである。そして、前述したように、前記保護部材４１が初期状態の位置に下降復帰する前に、ピストン５１が上昇して前記保護部材４１に当接するものであるから、前記上下ロッド２３の前記ストッパ部２３Ｓは、ガイド部材２１の上面に当接することのないように、下降位置が制限されるものである。
【００４０】
したがって、前記上下ロッド２３における上下振動の振幅（上下ストローク）は小さなものであり、上下ロッド２３の上下動を高速で行うことができるものであり、バリの除去を効果的に行うことができるものである。
【００４１】
以上のごとき説明より理解されるように、本実施形態によれば、圧縮エア作用室５３内に作用するエア圧によるピストン５１の上昇力と、下部押圧付勢手段６１の付勢力による上昇力とを合せて、上下ロッド２３を上昇するための衝撃力として作用することができると共に、ピストン５１と保護部材４１との間の微小空間６７へ供給された圧縮エアの圧力に起因する保護部材４１の上昇力とを合せて作用させることができるので、バリ打圧部材２９がバリを打圧する打圧力をより大きくすることができるものである。この際、ワークの材質等に対応して、前記圧縮エア作用室５３へ供給するエア圧及びエア供給量を調節することが望ましいものである。
【００４２】
また、前記構成によれば、上下ロッド２３の上下ストロークは間隙２５によって小さく制限されているので、上部押圧付勢手段３９が大きく圧縮されるようなことはなく、上部押圧付勢手段３９の長寿命化を図ることができるものである。同様に、ピストン５１の下方向へのストロークは、ストッパ６５によって制限されることとなるので、下部押圧付勢手段６１の長寿命化を図ることができるものである。
【００４３】
また、上下ロッド２３の上下ストロークが小さく制限されていることにより、バリ打圧部材２９の上下振動の安定化を図ることができるものである。
【００４４】
なお、本発明は、前述したごとき実施形態のみに限るものではなく、適宜の変更を行うことにより、その他の形態でもって実施可能なものである。すなわち、前記カップ状部材３３とピストン５１との関係は相対的なものであるから、ピストン５１を上向きのカップ状に構成し、このカップ状部分に前記保護部材４１を上下動自在に嵌合する構成とすることも可能なものである。
【００４５】
また、前記構成においては、バランス状態の初期状態においては、上下ロッド２３は最下降した状態にあるものとして説明した。しかし、図１に示すように、ピストン５１と保護部材４１とが当接した初期状態にあるとき、上下ロッド２３のストッパ部２３Ｓとガイド部材２１の上面とが僅かに上下に離れた状態にある構成とすることも可能である。すなわち、保護部材４１等を、バランスした初期状態の上下位置から僅かに下側へ移動可能な構成とすることも可能である。
【符号の説明】
【００４６】
１  バリ除去装置
３  ダイホルダ
５  ダイ装着穴
７  ケーシング本体
７Ａ  連通孔
７Ｄ  大径部
７Ｋ  キー溝
７Ｌ  下部ケーシング
７Ｕ  上部ケーシング
１１  ダイプレート
１１Ｈ  内孔
１１ＬＨ  大径の穴
２３  上下ロッド
２３Ａ  大径部
２３Ｓ  ストッパ部
２５  間隙
２９  バリ打圧部材
３１  弾性部材
３３  カップ状（筒状）部材
３９  上部押圧付勢手段
４１  保護部材
４３  エアアクチュエータ（振動アクチュエータ）
４５  底部材
４５Ｈ  連通孔
４７  固定シャフト
４７Ｈ  連通孔
４９  上下スライダ
５１  ピストン
５３  圧縮エア作用室
５５  連通室
５７  連通孔（連通路）
５９  エア供給孔
６１  下部押圧付勢手段
６３  排出口
６５  ストッパ
６７  空間
【図１】
2016093824.tif 000003
【図２】
2016093824.tif 000004